(57)【要約】      （修正有）【課題】高透過率を有する表示パネル及び表示装置を提供する。【解決手段】表示パネルは、第１基板と、第１基板に対向配置された第２基板と、画素アレイとを含む。画素アレイは、第１基板上に配置され、少なくとも１つの画素を含み、画素は、第１電極層１４１を有し、第１電極層は、補助電極部１４１１と、補助電極部に接続された駆動電極部１４１２とを有し、駆動電極部は、第１方向Ｘに沿って間隔をおいて配置された複数のストリップ状電極Ｓ１〜Ｓ３を有し、補助電極の面積をＡ１とし、光線が画素を通過する際に画素に形成された発光領域の面積をＢとしたとき、Ａ１及びＢは、式０．１１×Ｂ≦Ａ１≦０．２７×Ｂを満たす。【選択図】図１Ｂ
0003194579.tif 000002
【実用新案登録請求の範囲】
【請求項１】
表示パネルであって、
第１基板と、第２基板と、画素アレイとを含み、
前記第２基板は、前記第１基板に対向配置され、
前記画素アレイは、前記第１基板と前記第２基板との間に配置され、少なくとも１つの画素を含み、前記画素は、第１電極層を有し、前記第１電極層は、補助電極部と、前記補助電極部に接続された駆動電極部とを有し、前記駆動電極部は、第１方向に沿って間隔をおいて配置された複数のストリップ状電極を有し、
前記補助電極部の面積をＡ１とし、光線が前記画素を通過する際に前記画素に形成された発光領域の面積をＢとしたとき、Ａ１及びＢは、式０．１１×Ｂ≦Ａ１≦０．２７×Ｂを満たし、かつＡ１及びＢの単位が同じであることを特徴とする表示パネル。
【請求項２】
Ａ１及びＢは、さらに、式０．１３×Ｂ≦Ａ１≦０．２５×Ｂを満たすことを特徴とする請求項１に記載の表示パネル。
【請求項３】
前記発光領域は、前記第１方向に沿う第１輝度曲線を有し、第２方向に沿う第２輝度曲線を有し、前記発光領域の面積Ｂは、前記第１輝度曲線が前記第１方向に沿う最大半値全幅と、前記第２輝度曲線が前記第２方向に沿う最大半値全幅との積となり、かつ前記第１方向は、前記第２方向に垂直となることを特徴とする請求項１に記載の表示パネル。
【請求項４】
前記補助電極部は、少なくとも１つのスルーホールを有し、前記第１電極層は、前記スルーホールを介して薄膜トランジスタと電気的に接続されることを特徴とする請求項１に記載の表示パネル。
【請求項５】
前記駆動電極部は、接続電極をさらに有し、前記接続電極は、前記補助電極部から離れた側に位置するとともに、前記複数のストリップ状電極に接続されることを特徴とする請求項１に記載の表示パネル。
【請求項６】
表示パネルを含む表示装置であって、
前記表示パネルは、第１基板と、第２基板と、画素アレイとを備え、
前記第２基板は、前記第１基板に対向配置され、
前記画素アレイは、前記第１基板と前記第２基板との間に配置され、少なくとも１つの画素を含み、前記画素は、第１電極層を有し、前記第１電極層は、補助電極部と、前記補助電極部に接続された駆動電極部とを有し、前記駆動電極部は、第１方向に沿って間隔をおいて配置された複数のストリップ状電極を有し、
前記補助電極部の面積をＡ１とし、光線が前記画素を通過する際に前記画素に形成された発光領域の面積をＢとしたとき、Ａ１及びＢは、式０．１１×Ｂ≦Ａ１≦０．２７×Ｂを満たし、かつＡ１及びＢの単位が同じであることを特徴とする表示装置。
【請求項７】
Ａ１及びＢは、さらに、式０．１３×Ｂ≦Ａ１≦０．２５×Ｂを満たすことを特徴とする請求項６に記載の表示装置。
【請求項８】
前記発光領域は、前記第１方向に沿う第１輝度曲線を有し、第２方向に沿う第２輝度曲線を有し、前記発光領域の面積Ｂは、前記第１輝度曲線が前記第１方向に沿う最大半値全幅と、前記第２輝度曲線が前記第２方向に沿う最大半値全幅との積となり、かつ前記第１方向は、前記第２方向に垂直となることを特徴とする請求項６に記載の表示装置。
【請求項９】
前記補助電極部は、少なくとも１つのスルーホールを有し、前記第１電極層は、前記スルーホールを介して薄膜トランジスタと電気的に接続されることを特徴とする請求項６に記載の表示装置。
【請求項１０】
前記駆動電極部は、接続電極をさらに有し、前記接続電極は、前記補助電極部から離れた側に位置するとともに、前記複数のストリップ状電極に接続されることを特徴とする請求項６に記載の表示装置。
【考案の詳細な説明】
【技術分野】
【０００１】
本考案は、表示パネル及び表示装置に関し、特に、高透過率（ｔｒａｎｓｍｉｔｔａｎｃｅ）を有する表示パネル及び表示装置に関する。
【背景技術】
【０００２】
技術の進歩に伴い、フラットパネル表示装置は様々な分野に幅広く使用されるようになっている。特に、軽薄性，低消費電力性，非放射性に優れた液晶表示装置は、従来の陰極線管表示装置の代わりに、例えば、携帯電話、携帯型マルチメディア装置、ノートパソコン、液晶テレビ、及び液晶スクリーンなどの様々な電子製品に使われるようになっている。
【０００３】
従来の液晶表示装置は、対向配置された液晶表示パネル（ＬＣＤ  Ｐａｎｅｌ）とバックライトモジュール（Ｂａｃｋｌｉｇｈｔ  Ｍｏｄｕｌｅ）とを含むことが知られている。液晶表示パネルは、カラーフィルター基板と、薄膜トランジスタ基板と、その２つの基板に介在する液晶層とを含み、カラーフィルター基板及び薄膜トランジスタ基板と液晶層とによって、アレイに配列された複数の画素セルが形成される。バックライトモジュールからの光線が液晶表示パネルを通過し、液晶表示パネルにおける各画素セルにより色を表示することによって、画像を形成することができる。
【０００４】
同輝度の場合、高透過率の表示パネルを有する表示装置がより省電力であるので、各メーカは、表示パネルの透過率を向上させて、省電力化を実現し、製品の競争力向上を図る努力をしている。
【考案の概要】
【考案が解決しようとする課題】
【０００５】
本考案の目的は、製品の競争力を向上させるために、高透過率を有する表示パネル及び表示装置を提供することである。
【課題を解決するための手段】
【０００６】
上記目的を達成するために、本考案の表示パネルは、第１基板と、第２基板と、画素アレイとを含む。第２基板は、第１基板に対向配置される。画素アレイは、第１基板上に配置され、少なくとも１つの画素を含み、画素は、第１電極層を有し、第１電極層は、補助電極部と、補助電極部に接続された駆動電極部とを有し、駆動電極部は、第１方向に沿って間隔をおいて配置された複数のストリップ状電極を有し、補助電極部の面積をＡ１とし、光線が画素を通過する際に画素に形成された発光領域の面積をＢとしたとき、Ａ１及びＢは、式０．１１×Ｂ≦Ａ１≦０．２７×Ｂを満たし、かつＡ１及びＢの単位が同じである。
【０００７】
上記目的を達成するために、本考案の表示装置は、表示パネルを含み、表示パネルは、第１基板と、第２基板と、画素アレイとを含む。第２基板は、第１基板に対向配置される。画素アレイは、第１基板上に配置され、少なくとも１つの画素を含み、画素は、第１電極層を有し、第１電極層は、補助電極部と、補助電極部に接続された駆動電極部とを有し、駆動電極部は、第１方向に沿って間隔をおいて配置された複数のストリップ状電極を有し、補助電極部の面積をＡ１とし、光線が画素を通過する際に画素に形成された発光領域の面積をＢとしたとき、Ａ１及びＢは、式０．１１×Ｂ≦Ａ１≦０．２７×Ｂを満たし、かつＡ１及びＢの単位が同じである。
【０００８】
一実施形態において、Ａ１及びＢは、さらに、式０．１３×Ｂ≦Ａ１≦０．２５×Ｂを満たす。
【０００９】
一実施形態において、発光領域は、第１方向に沿う第１輝度曲線を有し、第２方向に沿う第２輝度曲線を有し、発光領域の面積Ｂは、第１輝度曲線が第１方向に沿う最大半値全幅と、第２輝度曲線が第２方向に沿う最大半値全幅との積となり、かつ第１方向は、第２方向に垂直となる。
【００１０】
一実施形態において、補助電極部は、少なくとも１つのスルーホールを有し、第１電極層は、スルーホールを介して薄膜トランジスタと電気的に接続される。
【００１１】
一実施形態において、駆動電極部は、接続電極をさらに有し、接続電極は、補助電極部から離れた側に位置するとともに、これらストリップ状電極に接続される。
【００１２】
上記のように、本考案の表示パネル及び表示装置において、画素における第１電極層の駆動電極部は、第１方向に沿って間隔をおいて配置された複数のストリップ状電極を有し、補助電極部の面積をＡ１とする。また、光線が画素を通過する際、画素における発光領域の面積をＢとしたとき、Ａ１及びＢは、次式を満たす。０．１１×Ｂ≦Ａ１≦０．２７×Ｂ。これによって、補助電極部の面積Ａ及び画素の発光領域の面積Ｂが上記の式を満たす場合、表示パネル及び表示装置は、電気特性と光学特性を両立させ、画素の透過率を最大化させることができる。したがって、本考案の表示パネル及び表示装置は、比較的高透過率を有するため、製品の競争力を向上させることができる。
【図面の簡単な説明】
【００１３】
【図１Ａ】本考案の好ましい実施形態に係る表示パネルを示す概略断面図である。
【図１Ｂ】図１Ａに示す表示パネルの第１電極層を示す概略図である。
【図１Ｃ】一実施形態において、光線が画素を通過する際、画素における発光領域を示す概略図である。
【図１Ｄ】画素における発光領域の第１方向に沿った輝度分布曲線を示す概略図である。
【図１Ｅ】画素における発光領域の第２方向に沿った輝度分布曲線を示す概略図である。
【図２】一実施形態において、画素の充電誤差及び容量結合電圧の和と、補助電極部の面積及び発光領域の面積の面積比との関係を示す概略図である。
【図３Ａ】本考案の一実施形態に係る第１電極層を示す概略図である。
【図３Ｂ】本考案の一実施形態に係る第１電極層を示す概略図である。
【図３Ｃ】本考案の一実施形態に係る第１電極層を示す概略図である。
【図３Ｄ】本考案の一実施形態に係る第１電極層を示す概略図である。
【図４】本考案の好ましい別の実施形態に係る表示装置を示す概略図である。
【考案を実施するための形態】
【００１４】
以下、好ましい実施形態に係る表示パネル及び表示装置を例示し、添付図面を参照して詳しく説明する。同一要素には同一符号を付する。
【００１５】
図１Ａ及び図１Ｂを参照する。図１Ａは、本考案の好ましい実施形態に係る表示パネル１を示す概略断面図である。図１Ｂは、図１Ａに示す表示パネル１の第１電極層１４１を示す概略図である。本実施形態に係る表示パネル１は、例えば、ＦＦＳ（Ｆｒｉｎｇｅ  Ｆｉｅｌｄ  Ｓｗｉｔｃｈｉｎｇ）モードの液晶表示パネル、又は他の横電界モードの液晶表示パネルであってもよいが、それに限定されない。なお、本実施形態において、図１Ａ及び図１Ｂには，第１方向Ｘ（水平方向）、第２方向Ｙ（垂直方向）及び第３方向Ｚが示されている。第１方向Ｘ、第２方向Ｙ及び第３方向Ｚが互いに実質的に垂直となる。第１方向Ｘは、走査線の延伸方向に実質的に平行となり、第２方向Ｙは、データ線の延伸方向に実質的に平行となり、第３方向Ｚは、それぞれ第１方向Ｘ及び第２方向Ｙに垂直する方向である。
【００１６】
表示パネル１は、第１基板１１と、第２基板１２と、液晶層１３とを含んでいる。第１基板１１は、第２基板１２に対向配置され、液晶層１３は、第１基板１１と第２基板１２との間に介在して設けられている。第１基板１１及び第２基板１２は、透光性材料からなり、例えば、ガラス基板、石英基板、プラスチック基板であるが、これらに限定されない。表示パネル１は、画素アレイをさらに含んでいる。画素アレイは、第１基板１１上に配置されている。画素アレイは、少なくとも１つの画素（又はサブ画素を称する；ｓｕｂ−ｐｉｘｅｌ）Ｐを含み、ここで、複数の画素Ｐを例示している。これら画素Ｐは、第１基板１１と第２基板１２との間に介在し、マトリックス状となるように配置されている。また、本実施形態の表示パネル１は、複数の走査線（図示せず）及び複数のデータ線Ｄをさらに含んでもよい。これら走査線及びこれらデータ線Ｄが互いに垂直に交差して配置されることによって、画素アレイの領域が形成されている。
【００１７】
画素Ｐは、第１電極層１４１と、絶縁層１４２と、第２電極層１４３とを含んでいる。本実施形態において、第２電極層１４３、絶縁層１４２及び第１電極層１４１は、下から上の順に、第１基板１１の第２基板１２に臨む側に配置されている。また、データ線Ｄは、第１基板１１上に配置され、かつ、画素Ｐは、データ線Ｄ上を覆う他の絶縁層１４５をさらに有してもよく、第２電極層１４３は、絶縁層１４５上に配置されている。そして、絶縁層１４２は第２電極層１４３上を覆い、第１電極層１４１は絶縁層１４２上に配置され、第２電極層１４３が絶縁層１４２と絶縁層１４５との間に介在することによって、第２電極層１４３とデータ線Ｄ及び第１電極層１４１との短絡を防止することができる。絶縁層１４２及び絶縁層１４５の材料は、例えば、酸化ケイ素（ＳｉＯｘ）、窒化シリコン膜（ＳｉＮｘ）又は他の絶縁材料であってもよいが、それに限定されない。さらに、第１電極層１４１と第２電極層１４３は、それぞれ透明導電層であって、材料がインジウムスズ酸化物（ｉｎｄｉｕｍ−ｔｉｎ  ｏｘｉｄｅ，ＩＴＯ）又はインジウム亜鉛酸化物（ｉｎｄｉｕｍ−ｚｉｎｃ  ｏｘｉｄｅ，ＩＺＯ）であってもよいが、それに限定されない。本実施形態において、第１電極層１４１は、画素電極（ｐｉｘｅｌ  ｅｌｅｃｔｒｏｄｅ）であって、データ線Ｄに電気的に接続され、第２電極層１４３は、共通電極（ｃｏｍｍｏｎ  ｅｌｅｃｔｒｏｄｅ）である。しかし、他の実施形態では、第１電極層１４１は、共通電極であってもよく、第２電極層１４３は、画素電極であってもよい。
【００１８】
表示パネル１は、ブラックマトリックスＢＭと、フィルター層（図示せず）とをさらに含んでもよい。ブラックマトリックスＢＭは、データ線Ｄに対応し、第１基板１１又は第２基板１２上に配置されている。ブラックマトリックスＢＭは、不透明材料であり、例えば金属や樹脂である。金属は、クロム、クロミア又はクロム酸窒化化合物が挙げられる。本実施形態において、ブラックマトリックスＢＭは、第２基板１２の第１基板１１に臨む側に配置され、第３方向Ｚに沿ってデータ線Ｄの上方に位置するため、正面から表示パネル１を見下ろす場合、ブラックマトリックスＢＭがデータ線Ｄを遮蔽することができる。フィルター層（図示せず）は、第２基板１２及びブラックマトリックスＢＭの第１基板１１に臨む側、又は第１基板１１上に配置されている。ブラックマトリックスＢＭが不透明材料であるため、第２基板１２上に不透明な領域が形成され、さらに、透明な領域を形成することができる。ブラックマトリックスＢＭは、複数の遮光部を有し、かつ隣接するフィルター層の間に少なくとも１つの遮光部を有している。本実施形態において、ブラックマトリックスＢＭ及びフィルター層は、それぞれ第２基板１２上に配置されている。ただし、他の実施形態において、ブラックマトリックスＢＭ及びフィルター層は、ＢＯＡ（ＢＭ  ｏｎ  ａｒｒａｙ）基板又はＣＯＡ（ｃｏｌｏｒ  ｆｉｌｔｅｒ  ｏｎ  ａｒｒａｙ）基板となるように、それぞれ第１基板１１に上に配置されてもよいが、それに限定されない。なお、表示パネル１は、保護層（例えばオーバーコーティング、図示せず）をさらに含んでもよい。保護層は、ブラックマトリックスＢＭ及びフィルター層を覆うことができる。保護層の材料は、ブラックマトリックスＢＭ及びフィルター層がその後の製造プロセスの影響から破壊されないように、保護するためのフォトレジスト材料、樹脂材料又は無機材料（例えば、ＳｉＯｘ／ＳｉＮｘ）等であってもよい。
【００１９】
また、図１Ｂに示すように、第１電極層１４１は、補助電極部１４１１及び補助電極部１４１１と接続する駆動電極部１４１２を有している。補助電極部１４１１は、少なくとも１つのスルーホールＯを有し、かつ第１電極層１４１は、スルーホールＯを介して画素Ｐにおける薄膜トランジスタ（図示せず）に電気的に接続している。ここで、薄膜トランジスタは画素Ｐの駆動トランジスタであり、かつ薄膜トランジスタを導通させると、画素Ｐの階調電圧が薄膜トランジスタのソース及びドレンを介して第１電極層１４１に供給される。なお、補助電極部１４１１の面積をＡ１で表される。
【００２０】
駆動電極部１４１２は、それぞれ補助電極部１４１１に接続される、第１方向Ｘに沿って間隔をおいて配置された複数のストリップ状電極を有している。本実施形態において、図１Ｂに示すように、ストリップ状電極の数は３つ（Ｓ１、Ｓ２、Ｓ３で表される）であり、補助電極部１４１１は、３つのストリップ状電極Ｓ１，Ｓ２，Ｓ３の一端にそれぞれ接続されている。これらストリップ状電極Ｓ１，Ｓ２，Ｓ３は、互いに間隔をおいて第１方向Ｘに沿って平行に配置されている。ただし、異なる実施形態において、ストリップ状電極の数が異なり、例えば、２つ、４つ又は他の数である。なお、本実施形態に係る駆動電極部１４１２は、接続電極Ｓ４をさらに有し、接続電極Ｓ４は、補助電極部１４１１から離れた側に位置し、これらストリップ状電極Ｓ１，Ｓ２，Ｓ３にそれぞれ接続されている。ここで、駆動電極部１４１２の面積をＡ２で表される。
【００２１】
図１Ｂ〜図１Ｅをそれぞれ参照する。図１Ｃは、一実施形態において、光線が画素Ｐを通過する際、画素Ｐにおける発光領域を示す概略図である。図１Ｄは、画素Ｐにおける発光領域の第１方向Ｘに沿った輝度分布曲線を示す概略図である。図１Ｅは、画素Ｐにおける発光領域の第２方向Ｙに沿った輝度分布曲線を示す概略図である。
【００２２】
図１Ｃに示すように、光線が画素Ｐを通過する際、画素Ｐには発光領域（光線が画素Ｐを通過できる領域）が形成される。図１Ｄに示すように、光線が画素Ｐを通過する際、発光領域は、第１方向Ｘに沿う第１輝度曲線Ｃ１（輝度は正規化された）を有する。また、図１Ｅに示すように、光線が画素Ｐを通過する際、発光領域は、第２方向Ｙに沿う第２輝度曲線Ｃ２（輝度は正規化された）を有する。そのため、本実施形態において、発光領域の面積Ｂは、第１輝度曲線Ｃ１が第１方向Ｘに沿う最大半値全幅Ａｘ（Ｆｕｌｌ  Ｗｉｄｔｈ  ａｔ  Ｈａｌｆ  Ｍａｘｉｍｕｍ，ＦＷＨＭ；即ち、輝度分布曲線において、半分の輝度における幅の値である。例えば、１０μｍ≦Ａｘ≦２５０μｍ）と、第２輝度曲線Ｃ２が第２方向Ｙに沿う最大半値全幅Ａｙ（一般的に、Ａｙ≒３Ａｘ。第１方向Ｘは、第２方向Ｙに平行となる）との積によって定義可能である。
【００２３】
上述したように、表示パネル１におけるこれら走査線により走査信号を受信した際、各走査線に対応する各画素Ｐの薄膜トランジスタが導通され、各列の画素Ｐに対応するデータ信号がデータ線Ｄによって対応する画素電極に伝送され、これにより、表示パネル１の画面が表示される。本実施形態において、階調電圧は、各データ線Ｄにより各画素Ｐの第１電極層１４１（画素電極）に伝送されて、第１電極層１４１と第２電極層１４３との間に電界を形成し、これにより、液晶層１３の液晶分子が第１方向Ｘと第２方向Ｙによって形成された平面上で回転されて、光が変調されることで、表示パネル１に画像が表示される。
【００２４】
また図１Ｂを参照して、画素Ｐの設計では、駆動電極部１４１２が占める面積Ａ２は比較的大きい場合、画素Ｐにおける発光領域の面積Ｂも比較的に大きい（両者は比例している）ので、画素Ｐの透過率も比較的大きい。しかし、各画素Ｐの大きさと薄膜トランジスタの設計が固まった後、駆動電極部１４１２の面積Ａ２が制限されている。したがって、表示パネル１の透過率を向上させるためには、駆動電極部１４１２の面積Ａ２を大きくして、補助電極部１４１１の面積Ａ１を小さくすることにより達成できる。ただし、面積が比較的小さな補助電極部１４１１は、スルーホールＯの配置だけではなく、画素Ｐにも電気的な影響を与える。例えば、面積が比較的小さな補助電極部１４１１によって、画素Ｐの容量（蓄積容量と液晶容量を含む）が小さくなり、さらに画素電極の充電時間（ｃｈａｒｇｉｎｇ  ｔｉｍｅ）及び充電電圧に影響を与える。また、面積が比較的大きな補助電極部１４１１を設計すると、画素Ｐの容量が増えて、画素電極の充電時間は長くなる（これは高いｐｐｉのパネルに不利である）一方、画素Ｐにおける薄膜トランジスタの漏れ電流の割合を低減して、画素の階調電圧をその実際の充電電圧に比較的近づけることができる。そのため、画素Ｐの補助電極部１４１１の面積Ａ１と、駆動電極部１４１２の面積Ａ２（又は発光領域の面積Ｂ）との割合を適切に考量して、電気特性と光学特性に対する要望を両立させる。
【００２５】
一般には、画素電極の実際充電電圧は、データ線Ｄが伝送する階調電圧から充電誤差Ｖｅを引いて、容量結合電圧（フィードスルー電圧ともいう；ｆｅｅｄ  ｔｈｒｏｕｇｈ  ｖｏｌｔａｇｅ）ＶＦＴをさらに引いたものにほぼ等しい（すなわち、実際充電電圧＝階調電圧−Ｖｅ−ＶＦＴ）。そのため、画素Ｐの実際充電電圧を階調電圧に近づけて、より良い画質を有するためには、充電誤差Ｖｅと容量結合電圧ＶＦＴとの和が小さいほど、実際充電電圧が階調電圧に近づく。ここで、充電誤差Ｖｅ及び容量結合電圧ＶＦＴは下記の式を満たす。
【００２６】
【数１】
0003194579.tif 000003
【００２７】
Ｃは画素Ｐの総容量値（すなわち、蓄積容量と寄生容量と液晶容量の和）、Ｃｇｄは薄膜トランジスタのゲートとドレンの寄生容量、Ｒは薄膜トランジスタの抵抗値、ＶｇＨとＶｇＬのそれぞれは、薄膜トランジスタの制御電圧である。
【００２８】
そして、容量と電極面積が正比例する関係を利用して、充電誤差Ｖｅと容量結合電圧ＶＦＴの数式は以下のように導出される。
【００２９】
【数２】
0003194579.tif 000004
【００３０】
設計上において、駆動電極部１４１２の面積Ａ２と発光領域の面積Ｂは、略正比例の関係であるため、Ａ２＝（Ｂ／ａ）とする。一実施形態において、ａの値は０．７６であってもよい。したがって、
【００３１】
【数３】
0003194579.tif 000005
【００３２】
また、
【００３３】
【数４】
0003194579.tif 000006
【００３４】
このように、ＶｅとＶＦＴの和を下記の式のように関数で表されてもよい。
【００３５】
【数５】
0003194579.tif 000007
【００３６】
関数ｆの数式が相当複雑であるため、本考案は、関数ｆを直接に解かないで、数値解法で解くことにした。数値解法では、既存の実施形態における画素Ｐの実際値（Ｃｇｄ、Ｒ、Ｃ、ＶｇＨ、ＣｇＬ）を、充電誤差Ｖｅと容量結合電圧ＶＦＴの元の式（１），（２）に代入する。これにより、異なる群の数値は、図２に示す異なる（Ｖｅ＋ＶＦＴ）値を得て、さらに、実際値によって形成された曲線Ｆ１を得ることができる。そして、曲線Ｆ１を数学的なシミュレーションによって（Ｖｅ＋ＶＦＴ）の傾向曲線を得る。したがって、曲線Ｆ２の方程式は以下のようになる。
【００３７】
【数６】
0003194579.tif 000008
【００３８】
（Ｖｅ＋ＶＦＴ）の最小値を得るために、上記式を微分して極値を求める。
【００３９】
【数７】
0003194579.tif 000009
【００４０】
そこで、補助電極部１４１１の面積Ａ１と発光領域の面積Ｂとの比が０．１９である場合、充電誤差Ｖｅと容量結合電圧ＶＦＴとの和は最小値となるため、画素電極の実際充電電圧と階調電圧との電圧差が最小値となる。この時、画素電極の充電効率が最大となり、画素Ｐの透過率も最大となり、これにより、表示パネル１の透過率を高めて、製品の競争力を向上させることができる。
【００４１】
ただし、プロセス上の変動を考慮し、本実施形態において、Ａ１及びＢが下記の不等式を満たす場合、表示パネル１の透過率を向上させることができる。
０．１１×Ｂ≦Ａ１≦０．２７×Ｂ
ここで、Ａ１及びＢの単位はμｍ２である。好ましくは、Ａ１及びＢが下記の方程式を満たす場合、表示パネル１の透過率をより向上させることができる。
０．１３×Ｂ≦Ａ１≦０．２５×Ｂ
【００４２】
また、図３Ａ〜図３Ｄは、それぞれ、本考案の異なる実施形態に係る第１電極層１４１ａ〜１４１ｄを示す概略図である。図３Ａ〜図３Ｄにおける第１電極層１４１ａ〜１４１ｄを例示したが、本考案は、それに限定されない。
【００４３】
図３Ａに示す第１電極層１４１ａと、図１Ｂに示す第１電極層１４１との主な相違点は、第１電極層１４１ａは、３つのストリップ状電極Ｓ１，Ｓ２，Ｓ３を備えているが、接続電極Ｓ４を備えていない点にある。
【００４４】
一方、図３Ｂに示す第１電極層１４１ｂと、図１Ｂに示す第１電極層１４１との主な相違点は、第１電極層１４１ｂにおいて、第２方向Ｙはデータ線Ｄの延伸方向と実質的に平行となるものの、第１方向Ｘと第２方向Ｙとは互いに垂直ではなく、画素が略平行四辺形になるよう、第１方向Ｘと第２方向Ｙとの間に鈍角が形成されている。また、第１電極層１４１ｂの各ストリップ状電極Ｓ１，Ｓ２，Ｓ３は、２つの曲げ部分を有している。なお、補助電極部１４１１と駆動電極部１４１２との間の接続位置が図１Ｂとは多少異なっている。
【００４５】
また、図３Ｃに示す第１電極層１４１ｃと、図３Ｂに示す第１電極層１４１ｂとの主な相違点として、ストリップ状電極Ｓ１は１つの曲げ部分を備えているが、ストリップ状電極Ｓ２，Ｓ３のそれぞれは２つの曲げ部分を備えている。なお、補助電極部１４１１と駆動電極部１４１２との間の接続位置、及び補助電極部１４１１の形状が図３Ｂとは多少異なっている。
【００４６】
そして、図３Ｄに示す第１電極層１４１ｄと、図３Ｂに示す第１電極層１４１ｂとの主な相違点として、第１電極層１４１ｄは４つのストリップ状電極Ｓ１，Ｓ２，Ｓ３，Ｓ５を備えているため、第１電極層１４１ｄの面積が第１電極層１４１ｂよりも大きい。
【００４７】
なお、第１電極層１４１ａ〜１４１ｄの上記以外の他の構成は、第１電極層１４１の対応する構成と同じであるため、説明は省略する。
【００４８】
また、図４は、本考案の好ましい別の実施形態に係る表示装置２を示す概略図である。
【００４９】
表示装置２は、表示パネル３とバックライトモジュール（Ｂａｃｋｌｉｇｈｔ Ｍｏｄｕｌｅ）４とを含んでおり、表示パネル３は、バックライトモジュール４と対向配置されている。そのうち、表示パネル３は、上記の表示パネル１であってもよく、かつ表示パネル１における画素の第１電極層は、上記の第１電極層１４１，１４１ａ，１４１ｂ，１４１ｃ，１４１ｄ又はその変化態様であってもよいが、その構成及び詳細は上記の説明と同じであるため、説明は省略する。バックライトモジュール４からの光線Ｅが表示パネル３を通過する際、表示パネル３の各画素により色が表示されて画像が形成される。
【００５０】
上述したように、本考案による表示パネル及び表示装置において、画素における第１電極層の駆動電極部は、第１方向に沿って間隔をおいて配置された複数のストリップ状電極を有し、補助電極部の面積をＡ１とする。また、光線が画素を通過する際、画素における発光領域の面積をＢとしたとき、Ａ１及びＢは、次式を満たす。０．１１×Ｂ≦Ａ１≦０．２７×Ｂ。これによって、補助電極部の面積Ａ１及び画素の発光領域の面積Ｂが上記の式を満たす場合、表示パネル及び表示装置は、電気特性と光学特性を両立させ、画素の透過率を最大化させることができる。したがって、本考案の表示パネル及び表示装置は、比較的高透過率を有するため、製品の競争力を向上させることができる。
【００５１】
本考案は上述した各実施形態に限定されるものではなく、請求項に示した範囲で種々の変更が可能であり、異なる形態例にそれぞれ開示された技術的手段を適宜組み合わせて得られる実施形態についても、本考案の技術的範囲に含まれる。
【符号の説明】
【００５２】
１、３  表示パネル
１１  第１基板
１２  第２基板
１３  液晶層
１４１、１４１ａ〜１４１ｄ  第１電極層
１４１１  補助電極部
１４１２  駆動電極部
１４２、１４５  絶縁層
１４３  第２電極層
２  表示装置
４  バックライトモジュール
Ａ１、Ａ２、Ｂ  面積
Ａｘ、Ａｙ  最大半値全幅
ＢＭ  ブラックマトッリクス
Ｃ１、Ｃ２、Ｆ１、Ｆ２  輝度曲線
Ｄ  データ線
Ｅ  光線
Ｏ  スルーホール
Ｐ  画素
Ｓ１〜Ｓ３、Ｓ５  ストリップ状電極
Ｓ４  接続電極
Ｖｅ  充電誤差
ＶＦＴ  容量結合電圧
Ｘ  第１方向
Ｙ  第２方向
Ｚ  第３方向
【図１Ａ】
0003194579.tif 000010
【図１Ｂ】
0003194579.tif 000011
【図１Ｃ】
0003194579.tif 000012
【図１Ｄ】
0003194579.tif 000013
【図１Ｅ】
0003194579.tif 000014
【図２】
0003194579.tif 000015
【図３Ａ】
0003194579.tif 000016
【図３Ｂ】
0003194579.tif 000017
【図３Ｃ】
0003194579.tif 000018
【図３Ｄ】
0003194579.tif 000019
【図４】
0003194579.tif 000020